(57)【特許請求の範囲】
【請求項１】
セメントを含有する洗浄廃水を、濾過水と濾過後残留物とに分離できるようにしたセメント含有廃水用処理装置であって、上部に設けた処理タンクと、この処理タンク下方に配される第１濾過部と、この第１濾過部の下方に配される第２濾過部と、この第２濾過部の下方に配される集水部とを備え、処理タンク２は、その底部に複数の排出筒が形成され、第１濾過部は、旋回自在に設けられて排出筒夫々の下方に配置可能となる複数の袋支持体と、この袋支持体夫々で支持されると共に、その口部が排出筒に装着自在な複数の濾過袋とを有し、第２濾過部は、濾過袋で濾過された濾過水を更にフィルターで濾過して集水部に送れるように構成され、処理タンクの内には、複数の仕切体からなる洗浄廃水案内部を設け、この洗浄廃水案内部は、処理タンクの上部に注水される洗浄廃水が、仕切体の間に設けられた開口部を介して複数の排出筒上方に略均等に送られるよう構成したことを特徴とするセメント含有廃水用処理装置。
【請求項２】
複数の仕切体の一部、或いは、全部を適宜昇降手段を介して昇降自在に支持し、この昇降手段の操作によって開口部の大きさを自在に変更できるよう構成したことを特徴とする請求項１記載のセメント含有廃水用処理装置。
【請求項３】
処理タンクに確認窓部を設けて、処理タンク内を視認できるように形成し、処理タンクに適宜排水手段を設けて、処理タンク内の洗浄廃液の沈殿による上澄み水を処理タンク外に排出できるよう構成したことを特徴とする請求項１または請求項２記載のセメント含有廃水用処理装置。
【請求項４】
袋支持体は、濾過袋を載置可能な略偏平な網目板状に構成したことを特徴とする請求項１または請求項２または請求項３記載のセメント含有廃水用処理装置。
【請求項５】
セメントを含有する洗浄廃水を、濾過水と濾過後残留物とに分離できるようにしたセメント含有廃水用処理装置であって、上部に設けた処理タンクと、この処理タンク下方に配される第１濾過部と、この第１濾過部の下方に配される第２濾過部と、この第２濾過部の下方に配される集水部とを備え、処理タンクは、その底部に複数の排出筒が形成され、第１濾過部は、旋回自在に設けられて排出筒夫々の下方に配置可能となる複数の袋支持体と、この袋支持体夫々で支持されると共に、その口部が排出筒に装着自在な複数の濾過袋とを有し、第２濾過部は、濾過袋で濾過された濾過水を更にフィルターで濾過して集水部に送れるように構成され、前記袋支持体は、濾過袋を載置可能な略偏平な網目板状に構成したことを特徴とするセメント含有廃水用処理装置。
【請求項６】
集水部を、第２濾過部を経た濾過水を貯えておける濾過水タンクで構成したことを特徴とする請求項１または請求項２または請求項３または請求項４または請求項５記載のセメント含有廃水用処理装置。
【発明の詳細な説明】
【０００１】
【発明の属する技術分野】
本発明は、例えば、コンクリート、モルタル吹付機や、コンクリート、モルタルミキサー等を水で洗浄したときに生じるセメントを含有する洗浄廃水を、濾過水と濾過後残留物とに能率良く、迅速に、且つ安定的に分離して処理できるように工夫したセメント含有廃水用処理装置に関するものである。
【０００２】
【従来の技術】
従来、この種のセメント含有廃水用処理装置にあっては、例えば、セメントを含有する洗浄廃水を沈殿槽に入れて、沈殿水と沈殿残留物とに分離処理できるようにしたもの等が利用されている。
【０００３】
【発明が解決しようとする課題】
ところが、例えば、コンクリート、モルタル吹付機や、コンクリート、モルタルミキサー等を洗浄すると多量の洗浄廃水が生じ、しかも、洗浄廃水中の沈殿残留物も比較的多く生じることとなり、比較的重量のある沈殿残留物の処理が能率的に、迅速に、且つ安定的に行い難い等の難点があった。
【０００４】
【課題を解決するための手段】
そこで、本発明は、前述の如き難点等を解消できるようにすると共に、多量の洗浄廃水を濾過水と濾過後残留物とに、確実に、スムーズに、迅速に、且つ安定的に分離処理でき、使い勝手に優れ、濾過後残留物の処理等が行い易く、しかも、構成が簡素で、耐久性に優れ、経済的なセメント含有廃水用処理装置を提供できるようにすべく創出されたものである。
しかして、請求項１記載のセメント含有廃水用処理装置にあっては、セメントを含有する洗浄廃水を、濾過水と濾過後残留物とに分離できるようにしたセメント含有廃水用処理装置であって、上部に設けた処理タンク２と、この処理タンク２下方に配される第１濾過部と、この第１濾過部の下方に配される第２濾過部と、この第２濾過部の下方に配される集水部とを備え、処理タンク２は、その底部に複数の排出筒５が形成され、第１濾過部は、旋回自在に設けられて排出筒５夫々の下方に配置可能となる複数の袋支持体１０と、この袋支持体１０夫々で支持されると共に、その口部が排出筒５に装着自在な複数の濾過袋１３とを有し、第２濾過部は、濾過袋１３で濾過された濾過水を更にフィルターで濾過して集水部に送れるように構成され、処理タンク２の内には、複数の仕切体３０，３１，４０，４１，５０，５１，６０，６１からなる洗浄廃水案内部を設け、この洗浄廃水案内部は、処理タンク２の上部に注水される洗浄廃水が、仕切体３０，３１，４０，４１，５０，５１，６０，６１の間に設けられた開口部３５，４５，５５，６５を介して複数の排出筒５上方に略均等に送られるよう構成する手段を採用した。
【０００５】
また、請求項２記載のセメント含有廃水用処理装置にあっては、複数の仕切体３０，３１，４０，４１，５０，５１，６０，６１の一部、或いは、全部を適宜昇降手段を介して昇降自在に支持し、この昇降手段の操作によって開口部３５，４５，５５，６５の大きさを自在に変更できるよう構成する手段を採用した。
【０００６】
更に、請求項３記載のセメント含有廃水用処理装置にあっては、処理タンク２に確認窓部３を設けて、処理タンク２内を視認できるように形成し、処理タンク２に適宜排水手段を設けて、処理タンク２内の洗浄廃液の沈殿による上澄み水を処理タンク２外に排出できるよう構成する手段を採用した。
【０００７】
そして、請求項４記載のセメント含有廃水用処理装置にあっては、袋支持体１０は、濾過袋１３を載置可能な略偏平な網目板状に構成する手段を採用した。
【０００８】
それから、請求項５記載のセメント含有廃水用処理装置にあっては、セメントを含有する洗浄廃水を、濾過水と濾過後残留物とに分離できるようにしたセメント含有廃水用処理装置であって、上部に設けた処理タンク２と、この処理タンク２下方に配される第１濾過部と、この第１濾過部の下方に配される第２濾過部と、この第２濾過部の下方に配される集水部とを備え、処理タンク２は、その底部に複数の排出筒５が形成され、第１濾過部は、旋回自在に設けられて排出筒５夫々の下方に配置可能となる複数の袋支持体１０と、この袋支持体１０夫々で支持されると共に、その口部が排出筒５に装着自在な複数の濾過袋１３とを有し、第２濾過部は、濾過袋１３で濾過された濾過水を更にフィルターで濾過して集水部に送れるように構成され、前記袋支持体１０は、濾過袋１３を載置可能な略偏平な網目板状に構成する手段を採用した。
【０００９】
加えて、請求項６記載のセメント含有廃水用処理装置にあっては、集水部を、第２濾過部を経た濾過水を貯えておける濾過水タンク２５で構成する手段を採用した。
【００１０】
【発明の実施の形態】
以下、本発明を図示例に基づいて説明すると、次の通りである。
本発明は、例えば、コンクリート、モルタル吹付機や、コンクリート、モルタルミキサー等を利用した後、吹付機やミキサー内に残ったコンクリート、モルタル等を落とすべく水等で洗浄するが、このときに生じるセメントを含有する洗浄廃水を、廃棄可能となる程度に濾過された濾過水と、濾過後残留物（例えば、セメント成分、砂、砂利、その他骨材等）とに分離して処理できるようにしたセメント含有廃水用処理装置である。
【００１１】
そして、このセメント含有廃水用処理装置は、例えば、適宜型材等によって構成されるフレーム１と、このフレーム１の上部に固定される上部が開放された（或いは、上部が閉鎖されたものや、上部が開閉自在なものでも良い）処理タンク２と、この処理タンク２下方に配される第１濾過部と、この第１濾過部の下方に配される第２濾過部と、この第２濾過部の下方に配される集水部とを備えたものである。すなわち、処理タンク２内に入れられる洗浄廃水を、第１濾過部によって、濾過水と、濾過後残留物とに分離し、更に、この濾過水を、第２濾過部によって、廃棄可能となる程度に濾過された濾過水と、比較的細かな濾過後残留物とに分離し、この濾過水を、集水部で集められるようにしたものである。
【００１２】
加えて、処理タンク２内には、複数の仕切体３０，３１，４０，４１，５０，５１，６０，６１からなる洗浄廃水案内部が設けられ、処理タンク２の上部に注水される洗浄廃水を、仕切体３０，３１，４０，４１，５０，５１，６０，６１の間に設けられた開口部３５，４５，５５，６５を介して後述する複数の排出筒５上方に略均等に分配できるように構成されている。
【００１３】
しかも、複数の仕切体３０，３１，４０，４１，５０，５１，６０，６１の一部、或いは、全部は、適宜昇降手段を介して昇降自在に支持され、この昇降手段の操作によって開口部３５，４５，５５，６５の大きさを自在に変更できるよう構成されている。
【００１４】
前記フレーム１は、例えば、適宜型材等によって処理タンク２を安定的に支えられるような略直方枠状や、略短円柱枠状や、その他適宜形状に構成される。尚、フレーム１の具体的構成、形状、寸法、材質等は、図示例のもの等に限定されることなく適宜自由に設定、変更できるものである。
【００１５】
前記処理タンク２は、例えば、上部が開放された比較的大きな略直方容器状に形成され、その底壁部分には、略短円筒状の複数（例えば、８個）の排出筒５が二列（例えば、４個宛二列）に連設されており、処理タンク２内に入れられた洗浄廃水が、複数の排出筒５によって下方にスムーズに排出できるように構成されている（図１乃至図３参照）。
【００１６】
また、前記処理タンク２は、例えば、上部が開放された比較的大きな略短円筒容器状に形成され、その底壁部分には、略短円筒状の複数（例えば、８個）の排出筒５が円周方向に沿って略等間隔に連設されており、処理タンク２内に入れられた洗浄廃水が、複数の排出筒５によって下方にスムーズに排出できるように構成されている（図４乃至図９参照）。
【００１７】
しかも、処理タンク２の底壁は、洗浄廃水中のセメント成分や、砂や、砂利や、その他骨材等が残ることなく、各排出筒５部分に集まり易くなるように、各排出筒５に向って夫々傾斜するような複数の（或いは、複合）傾斜面で構成されるようになる。ところで、処理タンク２の具体的構成、形状、寸法、材質、フレーム１への装着手段、底壁の具体的な構成、形状、排出筒５の具体的構成、形状、寸法、材質、数、配設位置等は、図示例のもの等に限定されることなく適宜自由に設定、変更できるものである。
【００１８】
更に、処理タンク２の側壁下部には、処理タンク２内の洗浄廃水を視認できるような透明となる確認窓部３が設けられている（図２参照）。しかも、処理タンク２の側壁下部には、適宜排水手段が設けられており、この適宜排水手段は、処理タンク２内に入れられた洗浄廃液の沈殿によるに上澄み水を処理タンク２外に排出できるように構成されたものである。すなわち、第１濾過部及び第２濾過部によって濾過している間に、処理タンク２内の洗浄廃液に於いて沈殿による上澄み水が確認窓部３で確認できたときに、この上澄み水を処理タンク２外に排出して、洗浄廃液の処理がより能率的に且つ迅速に行えるように構成されている。
【００１９】
ところで、この排水手段は、例えば、単なるバルブで構成した排出バルブ４であっても良いし（図１乃至図３参照）、或いは、その基端部分が処理タンク２の側壁下部に連通状態で装着されると共に、上下方向に揺動自在となるように設けられた排水用揺動パイプによって構成したものであっても良い（図示せず）。
【００２０】
尚、確認窓部３の具体的構成、形状、寸法、材質、処理タンク２への装着手段、配設位置、数、排水手段の具体的構成、形状、寸法、材質、配設位置、数、排出バルブ４の具体的構成、形状、寸法、材質、配設位置、数、処理タンク２への具体的装着手段等は、図示例のもの等に限定されることなく適宜自由に設定、変更できるものである。
【００２１】
前記第１濾過部は、支持腕１１及び支持マスト１２を介して旋回自在に設けられて、排出筒５の下方と処理タンク２の外方とに夫々配置可能となるように配される複数の袋支持体１０と、この袋支持体１０夫々の上に載置された状態で支持されると共に、その口部が排出筒５に装着自在な複数の濾過袋１３とを備えている。そして、袋支持体１０は、例えば、濾過水が通過可能となるように適宜金属線材等によって略偏平な網目板状に形成されると共に、濾過袋１３を安定的に支持できるように形成され、その側方に支持腕１１が突設されており、この支持腕１１基端部分が、フレーム１に固定されている略円筒状の支持マスト１２の上端部分に水平回転自在となるように形成されている。すなわち、比較的重量のある濾過後残留物が収容される濾過袋１３を、袋支持体１０の旋回操作によって処理タンク２の側方に容易に移動せしめられるようにして、袋支持体１０の上に載置されている濾過袋１３を移動させ易くし、その取扱いを容易にすると共に、能率の良い処理が可能となるように構成されている。
【００２２】
しかも、前記濾過袋１３は、例えば、土嚢袋のようなものが利用され、ある程度大きな濾過後残留物を濾過できると共に、ある程度重い濾過後残留物を入れた状態にも耐えられるような強度を備えたものが利用される。また、濾過袋１３の口部は、排出筒５に外装されると共に、適宜緊締手段等によって着脱自在に装着できるように形成されている。尚、袋支持体１０の具体的構成、形状、寸法、材質、数、配設位置、支持腕１１の具体的構成、形状、寸法、材質、袋支持体１０への具体的固着手段、支持マスト１２の具体的構成、形状、寸法、材質、配設位置、濾過袋１３の具体的構成、形状、寸法、材質、数等は、図示例のもの等に限定されることなく適宜自由に設定、変更できるものである。
【００２３】
前記第２濾過部は、例えば、複数の排出筒５の下方に配されるフィルター受部１５と、このフィルター受部１５に取外し自在に装着できる（或いは、取外し不能でも良い）適宜構成のフィルターとからなり、第１濾過部（濾過袋１３）で濾過された濾過水を更にフィルターで濾過して、下方の集水部に送れるように構成されている。すなわち、洗浄廃水をより確実に濾過できるように構成され、濾過水の処分や再利用等が行い易くなるようにしてある。尚、フィルター受部１５は、例えば、その底部に複数の透孔が穿設されており、このフィルター受部１５の底部の上に適宜フィルターを取外し容易に載置して構成し、濾過袋１３で濾過された濾過水を更にフィルターで濾過し、複数の透孔を介して下方の集水部に送れるように構成されている。
【００２４】
ところで、フィルター受部１５は、二列に配された排出筒５に対応して二つに分けてあるが（図１参照）、一つの大きなフィルター受部１５であっても良い。また、前記フィルター自体は、フィルター受部１５に簡単に装着、取外しできて、しかも、その清掃（濾過後残留物の除去）等によって繰り返し再利用できるものが使用される。尚、フィルター受部１５の具体的構成、形状、寸法、配設位置、数、フィルターの具体的構成、形状、寸法、材質等は、図示例のもの等に限定されることなく適宜自由に設定、変更できるものである。
【００２５】
集水部は、フィルター受部１５の下方に配される傾斜底板２０と、この傾斜底板２０の下部に配される集水口２１とを備えたもので、フィルターで濾過された濾過水が集水口２１にスムーズに集まるように構成されている。そして、集水口２１に装着されるホース２２によって、濾過水の処分、或いは、再利用できるように送られる。ところで、この集水部の一部には、適宜ポンプ２３が設けられており、集水部の濾過水がポンプ２３を介して所望場所に迅速に搬送できるように構成されている。また、集水部の一部上方には、前記排出バルブ４の排出口を配してあり、排出バルブ４からの上澄み水を直接集水部に排出できるように構成してある。尚、傾斜底板２０の具体的構成、形状、寸法、材質、傾斜状態、集水口２１の具体的構成、形状、寸法、配設位置、ホース２２の具体的構成、形状、材質、配設位置、ポンプ２３の具体的構成、配設位置、数等は、図示例のもの等に限定されることなく適宜自由に設定、変更できるものである。
【００２６】
また、集水部は、第２濾過部の下方に配置した濾過水タンク２５によって構成し（図１０参照）、第２瀘過部を経た濾過水を貯えておけるように構成したものであっても良い。しかも、このとき、排出バルブ４に排出ホース４ａを接続し、この排出ホース４ａの先端部分を濾過水タンク２５内に入れておくようにする。
【００２７】
処理タンク２内に配される洗浄廃水案内部は、適宜構成のものを採用でき、図１乃至図３に示す洗浄廃水案内部にあっては、処理タンク２上部中央に長手方向に沿って配される断面略逆Ｖ字状の仕切体３０と、この仕切体３０の両脇に夫々配される一対の仕切体３１とからなり、中央の仕切体３０は、適宜昇降手段を介して処理タンク２上部に昇降自在となるよう支持され、両脇の仕切体３１は、処理タンク２内に突出するように側壁に固定される複数の支持突起３３を介してその両端部分が取外し可能となるよう固定されている。しかして、中央の仕切体３０と両脇の仕切体３１とが断面略Ｗ字状に配され、中央の仕切体３０の両側縁と、両脇の仕切体３１の側縁との間に、二つの細長な開口部３５が平行に配されている。すなわち、処理タンク２の上部に注水される洗浄廃水を、開口部３５を介して複数の排出筒５上方に略均等に分配できるよう構成されている。しかも、この開口部３５は、昇降手段の操作による中央の仕切体３０の昇降動作によってその幅が変更できるように構成されており、洗浄廃水の流量調節等が可能となるように構成されている。
【００２８】
前記中央の仕切体３０は、例えば、適宜長尺矩形金属板材の中央部分を略屋根状に折曲げるようにして形成されている。一方、中央の仕切体３０の両脇に配される一対の仕切体３１は、例えば、適宜長尺矩形金属板材の長辺部分を折返して略断面溝形状に形成し、処理タンク２内に突出するよう側壁に固定した一対の略棒状の支持突起３３を抱持状に係止できるよう構成されている。
【００２９】
前記昇降手段は、例えば、処理タンク２の上端部左右に回転自在に装着されると共に、仕切体３０の長手方向両端部中央に回転自在に装着される一対の支持杆３２によって構成されている。そして、この支持杆３２は、その上部にハンドル部が設けられて、適宜回転操作ができるように形成され、周面には雄ネジ部が設けられて、処理タンク２の上端部左右に配した雌ネジ孔に螺合するように形成され、その下部は、仕切体３０の長手方向両端部中央の孔に貫通係止されている。すなわち、ハンドル部の回転操作によって支持杆３２が昇降すると共に、仕切体３０が昇降できるように構成されている。
【００３０】
また、図４及び図５に示す洗浄廃水案内部にあっては、略短有底円筒状の処理タンク２の底壁中央に配される略円錐台状の仕切体４０と、この仕切体４０の傾斜周壁の上方に配されると共に、上方に行くに従って漸次広がるように傾斜している略逆円錐筒状の仕切体４１とからなり、この上方の仕切体４１は、適宜昇降手段を介して中央の仕切体４０上部に昇降自在となるよう支持されている。しかして、中央の仕切体４０の周壁表面と、上方の仕切体４１の内周縁との間の略環状の隙間が開口部４５となるように形成されている。すなわち、処理タンク２の上部に注水される洗浄廃水を、円周方向に沿って配されている複数の排出筒５上方に開口部４５を介して略均等に分配できるよう構成されている。しかも、この開口部４５は、昇降手段の操作による上方の仕切体４１の昇降動作によってその幅が変更できるように構成されており、洗浄廃水の流量調節等が可能となるように構成されている。
【００３１】
中央の仕切体４０は、例えば、適宜金属板材によって略円錐台状に形成されている。一方、上方の仕切体４１は、例えば、適宜金属板材によって上方に行くに従って漸次広がるように傾斜している略逆円錐筒状に形成され、この仕切体４１の上端縁部分に、適宜横架型材を略十字状に配して固定されている。
【００３２】
前記昇降手段は、例えば、中央の仕切体４０の天板上方に回転自在に装着されると共に、前記上方の仕切体４１の適宜横架型材に螺着される複数（例えば、４個）の支持杆４２によって構成されている。そして、この支持杆４２は、その上部にハンドル部が設けられて、適宜回転操作ができるように形成され、その周面に雄ネジ部が設けられて、適宜横架型材に配した雌ネジ孔に螺合するように形成され、その下部は、中央の仕切体４０の天板上方に配した取付板の孔に貫通係止されている。すなわち、ハンドル部の回転操作によって支持杆４２が昇降すると共に、上方の仕切体４１が昇降できるように構成されている。
【００３３】
更に、図６及び図７に示す洗浄廃水案内部にあっては、略短有底円筒状の処理タンク２の底壁中央に固定される略円錐状（或いは、円筒状）の支持体と、この支持体に被さるように配される略円錐状の仕切体５０と、この仕切体５０の傾斜周壁の上方に配されると共に、上方に行くに従って漸次広がるように傾斜している略逆円錐筒状の仕切体５１とからなり、中央の仕切体５０は、適宜昇降手段を介して昇降自在となるよう支持されている。しかして、中央の仕切体５０の周壁表面と、上方の仕切体５１の内周縁との間の略環状の隙間が開口部５５となるように形成されている。すなわち、処理タンク２の上部に注水される洗浄廃水を、円周方向に沿って配されている複数の排出筒５上方に開口部５５を介して略均等に分配できるよう構成されている。しかも、この開口部５５は、昇降手段の操作による中央の仕切体５１の昇降動作によってその幅が変更できるように構成されており、洗浄廃水の流量調節等が可能となるように構成されている。
【００３４】
中央の仕切体５０は、例えば、適宜金属板材によって略円錐状に形成されている。一方、上方の仕切体５１は、例えば、適宜金属板材によって上方に行くに従って漸次広がるように傾斜している略逆円錐筒状に形成され、この仕切体５１は、その上端縁部分が処理タンク２の周壁上端部分に適宜手段よって固定され、前記支持体は、適宜金属板材によって略円錐状に形成され、処理タンク２の底壁中央に固定されている。
【００３５】
前記昇降手段は、例えば、前記支持体の頂部に回転自在に装着されると共に、前記中央の仕切体５０の頂部に螺着される支持杆５２によって構成されている。そして、この支持杆５２は、その上部にハンドル部が設けられて、適宜回転操作ができるように形成され、その周面に雄ネジ部が設けられて、中央の仕切体５１の頂部に配した雌ネジ孔に螺合するように形成され、その下部は、支持体の頂部に配した孔に貫通係止されている。すなわち、ハンドル部の回転操作によって支持杆５２が昇降すると共に、中央の仕切体５０が昇降できるように構成されている。
【００３６】
更に、図８及び図９に示す洗浄廃水案内部にあっては、略短有底円筒状の処理タンク２の底壁中央に固定される略円錐状の仕切体６０と、この仕切体６０の傾斜周壁の上方に配されると共に、上方に行くに従って漸次広がるように傾斜している略逆円錐筒状の仕切体６１とからなり、上方の仕切体６１は、適宜昇降手段を介して昇降自在となるよう支持されている。しかして、中央の仕切体６０の周壁表面と、上方の仕切体６１の内周縁との間の略環状の隙間が開口部６５となるように形成されている。すなわち、処理タンク２の上部に注水される洗浄廃水を、円周方向に沿って配されている複数の排出筒５上方に開口部６５を介して略均等に分配できるよう構成されている。しかも、この開口部６５は、昇降手段の操作による上方の仕切体６１の昇降動作によってその幅が変更できるように構成されており、洗浄廃水の流量調節等が可能となるように構成されている。
【００３７】
中央の仕切体６０は、例えば、適宜金属板材によって略円錐状に形成され、処理タンク２の底壁中央に固定されている。一方、上方の仕切体６１は、例えば、適宜金属板材によって上方に行くに従って漸次広がるように傾斜している略逆円錐筒状に形成され、この仕切体６１は、その上端縁部分が処理タンク２の周壁上端部分に適宜昇降手段を介して取付けられている。
【００３８】
前記昇降手段は、例えば、処理タンク２の周壁上部に螺着されると共に、前記上部の仕切体６１の上端縁部に回転自在に取付けられる複数（例えば、４個）の支持杆６２によって構成されている。そして、この支持杆６２は、その上部にハンドル部が設けられて、適宜回転操作ができるように形成され、その周面に雄ネジ部が設けられて、処理タンク２の周壁上部に固着した取付板に配した雌ネジ孔に螺合するように形成され、その下部は、上部の仕切体６１の上端縁部に配した孔に貫通係止されている。すなわち、ハンドル部の回転操作によって支持杆６２が昇降すると共に、上部の仕切体６１が昇降できるように構成されている。
【００３９】
図中３６，４６，５６，６６は、適宜型材等を介して処理タンク２上部に配される注水体で、この注水体３６，４６，５６，６６は、洗浄廃水が送給されるホースが着脱自在に接続でき、処理タンク２内に洗浄廃水をスムーズに注水できるように構成されたものである。特に、これらの注水体３６，４６，５６，６６は、例えば、処理タンク２上端部に横架配設される適宜型材等を介して処理タンク２上部に固定される基枠３７，４７，５７，６７と、この基枠３７，４７，５７，６７上部に旋回自在に装着されると共に、洗浄廃水が送給されるホースが着脱自在に接続できる取付パイプ３８，４８，５８，６８とからなり、取付パイプ３８，４８，５８，６８の旋回によって、ホースをどの方向からも容易に接続できるように構成してある。
【００４０】
尚、洗浄廃水案内部の具体的構成、配設位置、仕切体３０，４０，５０，６０の具体的構成、形状、寸法、材質、配設位置、仕切体３１４１，５１，６１の具体的構成、形状、寸法、材質、配設位置、数、昇降手段の具体的構成、配設位置、支持杆３２，４２，５２，６２の具体的構成、形状、寸法、材質、配設位置、数、支持突起３３の具体的構成、形状、寸法、材質、配設位置、数、開口部３５，４５，５５，６５の具体的構成、形状、寸法、注水体３６，４６，５６，６６の具体的構成、形状、寸法、材質、配設位置、基枠３７，４７，５７，６７の具体的構成、形状、寸法、材質、配設位置、取付パイプ３８，４８，５８，６８の具体的構成、形状、寸法、材質、配設位置等は、図示例等に限定されることなく適宜自由に設定、変更できるものである。
【００４１】
本発明のセメント含有廃水用処理装置は、前述の如く構成されており、次に、その使用例について説明すると、例えば、コンクリート、モルタル吹付機や、コンクリート、モルタルミキサー等による作業が終了して、これらに付着したコンクリート、モルタルを水等で洗浄し、このときのセメントを含有する洗浄廃水を、注水体３６，４６，５６，６６を介して処理タンク２内に入れる。
すると、洗浄廃水は、仕切体３０，４０，５０，６０と仕切体３１，４１，５１，６１との間の開口部３５，４５，５５，６５から全ての排出筒５に均等に送られるようになる。
しかも、洗浄廃水は、夫々の排出筒５から袋支持体１０内に入って、濾過後残留物は濾過袋１３内に残り、濾過水が袋支持体１０を通過してフィルター受部１５内に落下する。そして、このフィルター受部１５の濾過水は、フィルターによって更に濾過されて、傾斜底板２０の上に落ちて、集水口２１に集められ、ホース２２を介して、或いは、ポンプ２３を介して濾過水を所望場所に搬送（或いは、廃棄）する。
尚、フィルター受部１５の濾過水を、フィルターによって更に濾過した後、この濾過水を、濾過水タンク２５に貯えておくようにしても良い。
【００４２】
ところで、処理タンク２内の洗浄廃水は、濾過袋１３及びフィルターによって連続的に濾過されて漸次減ると同時に、処理タンク２内の洗浄廃水は、ある程度の時間の経過による沈殿作用によって上澄み水ができ、これを確認窓部３で視認してから排出バルブ４を開き、この上澄み水を処理タンク２外（例えば、集水部）に排出して（或いは、濾過水タンク２５内に排出ホース４ａを介して排出して）、洗浄廃液の濾過処理が迅速に且つ能率良く行えるようにする。
それから、洗浄廃液の濾過処理が終了すると、排出筒５から濾過袋１３の口部を外し、袋支持体１０を処理タンク２の側方に旋回せしめてから、濾過袋１３を移動せしめて処分（或いは、再利用）する。また、フィルターは、フィルター受部１５から取外されて、清掃（その上面の濾過後残留物の除去）されて、繰り返し再利用される。
【００４３】
【発明の効果】
従って、請求項１記載のセメント含有廃水用処理装置は、セメントを含有する洗浄廃水を、濾過水と濾過後残留物とに分離できるようにしたセメント含有廃水用処理装置であって、上部に設けた処理タンク２と、この処理タンク２下方に配される第１濾過部と、この第１濾過部の下方に配される第２濾過部と、この第２濾過部の下方に配される集水部とを備え、処理タンク２は、その底部に複数の排出筒５が形成され、第１濾過部は、旋回自在に設けられて排出筒５夫々の下方に配置可能となる複数の袋支持体１０と、この袋支持体１０夫々で支持されると共に、その口部が排出筒５に装着自在な複数の濾過袋１３とを有し、第２濾過部は、濾過袋１３で濾過された濾過水を更にフィルターで濾過して集水部に送れるように構成され、処理タンク２の内には、複数の仕切体３０，３１，４０，４１，５０，５１，６０，６１からなる洗浄廃水案内部を設け、この洗浄廃水案内部は、処理タンク２の上部に注水される洗浄廃水が、仕切体３０，３１，４０，４１，５０，５１，６０，６１の間に設けられた開口部３５，４５，５５，６５を介して複数の排出筒５上方に略均等に送られるよう構成したので、例えば、コンクリート、モルタル吹付機や、コンクリート、モルタルミキサー等を水等で洗浄したときに生じるセメントを含有する多量の洗浄廃水を、処理タンク２に入れることができ、この処理タンク２内の洗浄廃水は、第１濾過部で濾過され、そのとき殆どの濾過後残留物が第１濾過部の濾過袋１３内に残り、そして、濾過袋１３を通過した濾過水は、第２濾過部で更に濾過され、第２濾過部のフィルターを通過した濾過水は、集水部に確実に、且つスムーズに送られるようになる。すなわち、多量の洗浄廃水を、濾過水と濾過後残留物とに能率良く、迅速に、且つ安定的に分離して処理できるようになる。しかも、構成が簡素で、耐久性に優れ、経済的なセメント含有廃水用処理装置となる。
【００４４】
更に、処理タンク２は、その底部に複数の排出筒５が形成され、第１濾過部は、旋回自在に設けられて排出筒５夫々の下方に配置可能となる複数の袋支持体１０と、この袋支持体１０夫々で支持されると共に、その口部が排出筒５に装着自在な複数の濾過袋１３とを有するので、比較的重量のある濾過後残留物が収容されている濾過袋１３を、袋支持体１０の旋回操作によって処理タンク２の側方に容易に移動せしめられるようになり、その取扱いが容易となり、能率の良い、且つ迅速な処理が可能となる。
【００４５】
加えて、第２濾過部は、濾過袋１３で濾過された濾過水を更にフィルターで濾過して集水部に送れるように構成したので、洗浄廃水をより確実に濾過できるようになり、濾過水の処分や再利用等が行い易いものとなる。
【００４６】
特に、処理タンク２の内には、複数の仕切体３０，３１，４０，４１，５０，５１，６０，６１からなる洗浄廃水案内部を設け、この洗浄廃水案内部は、処理タンク２の上部に注水される洗浄廃水が、仕切体３０，３１，４０，４１，５０，５１，６０，６１の間に設けられた開口部３５，４５，５５，６５を介して複数の排出筒５上方に略均等に送られるよう構成したので、処理タンク２の上部に注水される洗浄廃水を、複数の排出筒５に略均等に案内できるようになり、複数の濾過袋１３内夫々に溜る濾過後残留物の量を略同程度に揃えることができるようになる。すなわち、特定の濾過袋１３内に濾過後残留物が多く溜るようなことがなくなり、均一で且つ安定的な濾過が可能となると共に、濾過後残留物が収容されている濾過袋１３夫々が取扱い易くなる。
【００４７】
また、請求項２記載のセメント含有廃水用処理装置は、複数の仕切体３０，３１，４０，４１，５０，５１，６０，６１の一部、或いは、全部を適宜昇降手段を介して昇降自在に支持し、この昇降手段の操作によって開口部３５，４５，５５，６５の大きさを自在に変更できるよう構成したので、昇降手段の操作によって開口部３５，４５，５５，６５の幅を簡単に且つ確実に変更できるようになり、洗浄廃水の流量調節等が簡単に行えるようになる。
【００４８】
更に、請求項３記載のセメント含有廃水用処理装置は、処理タンク２に確認窓部３を設けて、処理タンク２内を視認できるように形成し、処理タンク２に適宜排水手段を設けて、処理タンク２内の洗浄廃液の沈殿による上澄み水を処理タンク２外に排出できるよう構成したので、確認窓部３を介して処理タンク２内の洗浄廃液の沈殿状態を確実に、且つ簡単に確認できるようになると共に、処理タンク２内の沈殿による洗浄廃液の上澄み水を処理タンク２外に確実に、且つ容易に排出できるようになり、洗浄廃液の濾過処理が迅速に、且つ能率良く行えるようになる。
【００４９】
そして、請求項４記載のセメント含有廃水用処理装置は、袋支持体１０は、濾過袋１３を載置可能な略偏平な網目板状に構成したので、袋支持体１０の上に載置され、比較的重量のある濾過後残留物が収容されている濾過袋１３を、他の場所に移動させ易くなり、その取扱いが容易となると共に、能率の良い処理が可能となる。
【００５０】
それから、請求項５記載のセメント含有廃水用処理装置は、セメントを含有する洗浄廃水を、濾過水と濾過後残留物とに分離できるようにしたセメント含有廃水用処理装置であって、上部に設けた処理タンク２と、この処理タンク２下方に配される第１濾過部と、この第１濾過部の下方に配される第２濾過部と、この第２濾過部の下方に配される集水部とを備え、処理タンク２は、その底部に複数の排出筒５が形成され、第１濾過部は、旋回自在に設けられて排出筒５夫々の下方に配置可能となる複数の袋支持体１０と、この袋支持体１０夫々で支持されると共に、その口部が排出筒５に装着自在な複数の濾過袋１３とを有し、第２濾過部は、濾過袋１３で濾過された濾過水を更にフィルターで濾過して集水部に送れるように構成され、前記袋支持体１０は、濾過袋１３を載置可能な略偏平な網目板状に構成したので、例えば、コンクリート、モルタル吹付機や、コンクリート、モルタルミキサー等を水等で洗浄したときに生じるセメントを含有する多量の洗浄廃水を、処理タンク２に入れることができ、この処理タンク２内の洗浄廃水は、第１濾過部で濾過され、そのとき殆どの濾過後残留物が第１濾過部の濾過袋１３内に残り、そして、濾過袋１３を通過した濾過水は、第２濾過部で更に濾過され、第２濾過部のフィルターを通過した濾過水は、集水部に確実に、且つスムーズに送られるようになる。すなわち、多量の洗浄廃水を、濾過水と濾過後残留物とに能率良く、且つ迅速に分離して処理できるようになる。しかも、構成が簡素で、耐久性に優れ、経済的なセメント含有廃水用処理装置となる。
【００５１】
更に、処理タンク２は、その底部に複数の排出筒５が形成され、第１濾過部は、旋回自在に設けられて排出筒５夫々の下方に配置可能となる複数の袋支持体１０と、この袋支持体１０夫々で支持されると共に、その口部が排出筒５に装着自在な複数の濾過袋１３とを有するので、比較的重量のある濾過後残留物が収容されている濾過袋１３を、袋支持体１０の旋回操作によって処理タンク２の側方に容易に移動せしめられるようになり、その取扱いが容易となり、能率の良い、且つ迅速な処理が可能となる。
【００５２】
加えて、第２濾過部は、濾過袋１３で濾過された濾過水を更にフィルターで濾過して集水部に送れるように構成したので、洗浄廃水をより確実に濾過できるようになり、濾過水の処分や再利用等が行い易いものとなる。
【００５３】
特に、前記袋支持体１０は、濾過袋１３を載置可能な略偏平な網目板状に構成したので、袋支持体１０の上に載置され、比較的重量のある濾過後残留物が収容されている濾過袋１３を、他の場所に移動させ易くなり、その取扱いが容易となると共に、能率の良い処理が可能となる。
【００５４】
加えて、請求項６記載のセメント含有廃水用処理装置は、集水部を、第２濾過部を経た濾過水を貯えておける濾過水タンク２５で構成したので、第２濾過部を経た濾過水を確実に、且つ容易に貯えておけるようになり、この濾過水タンク２５内の濾過水の処理及び再利用等が行い易いものとなる。
【図面の簡単な説明】
【図１】本発明のセメント含有廃水用処理装置を例示する一部切欠側面図である。
【図２】本発明のセメント含有廃水用処理装置を例示する一部切欠正面図である。
【図３】本発明のセメント含有廃水用処理装置を例示する平面図である。
【図４】本発明の他のセメント含有廃水用処理装置を例示する部分縦断面図である。
【図５】本発明の他のセメント含有廃水用処理装置を例示する部分平面図である。
【図６】本発明の他のセメント含有廃水用処理装置を例示する部分縦断面図である。
【図７】本発明の他のセメント含有廃水用処理装置を例示する部分平面図である。
【図８】本発明の他のセメント含有廃水用処理装置を例示する部分縦断面図である。
【図９】本発明の他のセメント含有廃水用処理装置を例示する部分平面図である。
【図１０】本発明の他のセメント含有廃水用処理装置を例示する一部切欠正面図である。
【符号の説明】
１      フレーム                      ２      処理タンク
３      確認窓部                      ４      排出バルブ
４ａ    排出ホース                    ５      排出筒
１０    袋支持体                      １１    支持腕
１２    支持マスト                    １３    濾過袋
１５    フィルター受部
２０    傾斜底板                      ２１    集水口
２２    ホース                        ２３    ポンプ
２５    濾過水タンク
３０    仕切体                        ３１    仕切体
３２    支持杆                        ３３    支持突起
３５    開口部                        ３６    注水体
３７    基枠                          ３８    取付パイプ
４０    仕切体                        ４１    仕切体
４２    支持杆
４５    開口部                        ４６    注水体
４７    基枠                          ４８    取付パイプ
５０    仕切体                        ５１    仕切体
５２    支持杆
５５    開口部                        ５６    注水体
５７    基枠                          ５８    取付パイプ
６０    仕切体                        ６１    仕切体
６２    支持杆
６５    開口部                        ６６    注水体
６７    基枠                          ６８    取付パイプ
【図１】
0003624402.tif 000002
【図２】
0003624402.tif 000003
【図３】
0003624402.tif 000004
【図４】
0003624402.tif 000005
【図５】
0003624402.tif 000006
【図６】
0003624402.tif 000007
【図７】
0003624402.tif 000008
【図８】
0003624402.tif 000009
【図９】
0003624402.tif 000010
【図１０】
0003624402.tif 000011